(57)【要約】【課題】表示パネルの温度分布に起因するムラを補正することが可能なタッチパネル装置及びその制御方法を提供する。【解決手段】表示パネルと、前記表示パネルの第１軸方向に連続的に延びる互いに平行な複数の透明導電膜が前記第１軸方向と交差する第２軸方向に配列されて形成される第１のシートと、複数の透明導電膜に対向する透明導電膜が設けられた第２のシートと、がこの順に重ね合わされ、第２のシートの側からタッチ操作が可能な抵抗膜方式のタッチパネル装置であって、第１のシートの各透明導電膜の抵抗値を測定し、測定された抵抗値と、第１のシートの各透明導電膜の温度と抵抗値との関係と、に基づき推定される第１のシートの各透明導電膜の温度に基づき、当該各透明導電膜に対応する表示パネルの表示領域の温度を推定する推定手段と、表示パネルの表示領域毎の推定された温度に基づき、表示パネルの表示ムラを補正する補正手段と、を備える。【選択図】図１
2013054520.tif 000002
【特許請求の範囲】
【請求項１】
表示パネルと、
前記表示パネルの第１軸方向に連続的に延びる互いに平行な複数の透明導電膜が前記第１軸方向と交差する第２軸方向に配列されて形成される第１のシートと、
前記複数の透明導電膜に対向する透明導電膜が設けられた第２のシートと、
がこの順に重ね合わされ、第２のシートの側からタッチ操作が可能な抵抗膜方式のタッチパネル装置であって、
前記第１のシートの各透明導電膜の抵抗値を測定する測定手段と、
前記第１のシートの各透明導電膜の温度と抵抗値との関係を記憶する記憶手段と、
前記測定手段により測定される前記抵抗値と、前記記憶手段に記憶される前記関係と、から推定される前記第１のシートの各透明導電膜の温度に基づき、当該各透明導電膜に対応する前記表示パネルの表示領域の温度を推定する推定手段と、
前記推定手段により推定される前記表示パネルの表示領域毎の温度に基づき、前記表示パネルの表示ムラを補正する補正手段と、
を備えるタッチパネル装置。
【請求項２】
タッチ操作がなされたときの前記第１のシートの透明導電膜と前記第２のシートの透明導電膜との接触した部位の電位に基づき、タッチ操作がなされた箇所の第１軸方向の座標を検出する座標検出手段を備える請求項１に記載のタッチパネル装置。
【請求項３】
前記第２のシートに設けられる透明導電膜は、前記表示パネルの前記第２軸方向に連続的に延びる互いに平行な複数の透明導電膜が前記第１軸方向に配列されて形成され、
前記測定手段は、前記第２のシートの各透明導電膜の抵抗値を更に測定し、
前記記憶手段は、前記第２のシートの各透明導電膜の温度と抵抗値との関係を更に記憶し、
前記第１のシートの透明導電膜に電圧が印加され前記第２のシートの透明導電膜に電圧が印加されない第１の状態と、前記第１のシートの透明導電膜に電圧が印加されず前記第２のシートの透明導電膜に電圧が印加される第２の状態と、を切り替える切替手段と、
所定時間おきに第１の状態と第２の状態とが切り替わるよう前記切替手段を制御する制御手段と、
を備え、
前記推定手段は、
前記第１の状態において、前記測定手段により測定される前記第１のシートの各透明導電膜の抵抗値と、前記記憶手段に記憶される前記第１のシートの各透明導電膜の温度と抵抗値との関係と、から推定される前記第１のシートの各透明導電膜の温度に基づき、当該各透明導電膜に対応する前記表示パネルの表示領域の温度を推定し、
前記第２の状態において、前記測定手段により測定される前記第２のシートの各透明導電膜の抵抗値と、前記記憶手段に記憶される前記第２のシートの各透明導電膜の温度と抵抗値との関係と、から推定される前記第２のシートの各透明導電膜の温度に基づき、当該各透明導電膜に対応する前記表示パネルの表示領域の温度を推定する請求項１に記載のタッチパネル装置。
【請求項４】
前記第１の状態においてタッチ操作がなされたときの前記第１のシートの透明導電膜と前記第２のシートの透明導電膜との接触した部位の電位に基づき、タッチ操作がなされた箇所の第１軸方向の座標を検出し、前記第２の状態においてタッチ操作がなされたときの前記第１のシートの透明導電膜と前記第２のシートの透明導電膜との接触した部位の電位に基づき、タッチ操作がなされた箇所の第２軸方向の座標を検出する、座標検出手段を備える請求項３に記載のタッチパネル装置。
【請求項５】
前記座標検出手段は、
前記第１の状態において、当該第１の状態より前の第２の状態において前記推定手段により推定された、前記第２のシートの複数の透明導電膜のうちタッチ操作がなされた箇所に対応する透明導電膜の温度に基づき、前記検出したタッチ操作がなされた箇所の第１軸方向の座標を補正し、
前記第２の状態において、当該第２の状態より前の第１の状態において前記推定手段により推定された、前記第１のシートの複数の透明導電膜のうちタッチ操作がなされた箇所に対応する透明導電膜の温度に基づき、前記検出したタッチ操作がなされた箇所の第２軸方向の座標を補正する請求項４に記載のタッチパネル装置。
【請求項６】
前記測定手段は、前記第１のシートの各透明導電膜に流れる電流値を検出する電流検出手段を含み、前記電流検出手段により検出される電流値と、各透明導電膜に印加される電圧と、から前記第１のシートの各透明導電膜の抵抗値を算出する請求項１又は２に記載のタッチパネル装置。
【請求項７】
前記測定手段は、前記第２のシートの各透明導電膜に流れる電流値を検出する電流検出手段を含み、前記電流検出手段により検出される電流値と、各透明導電膜に印加される電圧と、から前記第２のシートの各透明導電膜の抵抗値を算出する請求項３〜５のいずれか１項に記載のタッチパネル装置。
【請求項８】
前記表示パネルは液晶パネルであり、
前記液晶パネルに対し前記第１のシートとは反対側に設けられ、前記液晶パネルの各表示領域に対応するブロック毎に輝度を調節可能なバックライトを更に備え、
前記補正手段は、前記液晶パネルの表示領域毎の温度に基づき、少なくとも、前記液晶パネルに入力する画像データに対し表示領域毎に補正を行うか、又は、前記バックライトのブロック毎に輝度の補正を行う請求項１〜７のいずれか１項に記載のタッチパネル装置。
【請求項９】
前記表示パネルは発光型の表示パネルであり、
前記補正手段は、前記表示パネルの表示領域毎の温度に基づき、前記表示パネルに入力する画像データに対し表示領域毎に補正を行う請求項１〜７のいずれか１項に記載のタッチパネル装置。
【請求項１０】
前記第１軸方向は、前記表示パネルの画面の横方向と平行であり、
前記第２軸方向は、前記表示パネルの画面の縦方向と平行である請求項１〜９のいずれか１項に記載のタッチパネル装置。
【請求項１１】
前記第１軸方向は、前記表示パネルの画面の縦方向と平行であり、
前記第２軸方向は、前記表示パネルの画面の横方向と平行である請求項１〜９のいずれか１項に記載のタッチパネル装置。
【請求項１２】
表示パネルと、
前記表示パネルの第１軸方向に連続的に延びる互いに平行な複数の透明導電膜が前記第１軸方向と交差する第２軸方向に配列されて形成される第１のシートと、
前記複数の透明導電膜に対向する透明導電膜が設けられた第２のシートと、
がこの順に重ね合わされ、第２のシートの側からタッチ操作が可能な抵抗膜方式のタッチパネル装置の制御方法であって、
前記第１のシートの各透明導電膜の抵抗値を測定する測定工程と、
前記第１のシートの各透明導電膜の温度と抵抗値との関係を読み込む工程と、
前記測定工程により測定される前記抵抗値と、前記読み込んだ関係と、から推定される
前記第１のシートの各透明導電膜の温度に基づき、当該各透明導電膜に対応する前記表示パネルの表示領域の温度を推定する推定工程と、
前記推定工程により推定される前記表示パネルの表示領域毎の温度に基づき、前記表示パネルの表示ムラを補正する補正工程と、
を有するタッチパネル装置の制御方法。
【発明の詳細な説明】
【技術分野】
【０００１】
本発明は、タッチパネル装置及びその制御方法に関するものである。
【背景技術】
【０００２】
近年、薄型の画像表示装置ではデザイン性の観点から、薄さだけではなく画面周囲の幅を狭くする狭額縁化が望まれており、画面周囲に操作スイッチ類を配置することが困難になってきている。また、液晶パネルなどの表示パネルは、表示輝度や表示色が温度により変化する特性がある。
【０００３】
これに対して従来、液晶パネル表面を透明導電層を有するタッチスクリーンで覆い、導電層の電気的特性（抵抗）の温度依存性を利用して、導電層の抵抗値から液晶パネル表示の平均的な温度を推定する装置が提案されている（例えば特許文献１参照）。
【先行技術文献】
【特許文献】
【０００４】
【特許文献１】特表２００２−５２０６３６号公報
【発明の概要】
【発明が解決しようとする課題】
【０００５】
表示パネルの温度は、バックライトの発光輝度、画像表示装置内の発熱部品の配置、排熱口の位置、形状等に依存し、温度が高い部分と低い部分が存在する。すなわち表示パネルには温度分布が生じる。この表示パネルの温度分布に起因して、表示パネルの領域毎に輝度や色度がばらつき、輝度や色度にムラが生じる場合がある。特許文献１の装置においては、液晶パネル表面の平均的な温度の検出が可能だが、液晶パネルの温度分布の検出はできないため、領域毎に輝度や色度のムラを補正することはできなかった。
【０００６】
そこで、本発明は、表示パネルの温度分布に起因するムラを補正することが可能なタッチパネル装置及びその制御方法を提供することを目的とする。
【課題を解決するための手段】
【０００７】
本発明は、表示パネルと、
前記表示パネルの第１軸方向に連続的に延びる互いに平行な複数の透明導電膜が前記第１軸方向と交差する第２軸方向に配列されて形成される第１のシートと、
前記複数の透明導電膜に対向する透明導電膜が設けられた第２のシートと、
がこの順に重ね合わされ、第２のシートの側からタッチ操作が可能な抵抗膜方式のタッチパネル装置であって、
前記第１のシートの各透明導電膜の抵抗値を測定する測定手段と、
前記第１のシートの各透明導電膜の温度と抵抗値との関係を記憶する記憶手段と、
前記測定手段により測定される前記抵抗値と、前記記憶手段に記憶される前記関係と、から推定される前記第１のシートの各透明導電膜の温度に基づき、当該各透明導電膜に対応する前記表示パネルの表示領域の温度を推定する推定手段と、
前記推定手段により推定される前記表示パネルの表示領域毎の温度に基づき、前記表示パネルの表示ムラを補正する補正手段と、
を備えるタッチパネル装置である。
【０００８】
本発明は、表示パネルと、
前記表示パネルの第１軸方向に連続的に延びる互いに平行な複数の透明導電膜が前記第
１軸方向と交差する第２軸方向に配列されて形成される第１のシートと、
前記複数の透明導電膜に対向する透明導電膜が設けられた第２のシートと、
がこの順に重ね合わされ、第２のシートの側からタッチ操作が可能な抵抗膜方式のタッチパネル装置の制御方法であって、
前記第１のシートの各透明導電膜の抵抗値を測定する測定工程と、
前記第１のシートの各透明導電膜の温度と抵抗値との関係を読み込む工程と、
前記測定工程により測定される前記抵抗値と、前記読み込んだ関係と、から推定される前記第１のシートの各透明導電膜の温度に基づき、当該各透明導電膜に対応する前記表示パネルの表示領域の温度を推定する推定工程と、
前記推定工程により推定される前記表示パネルの表示領域毎の温度に基づき、前記表示パネルの表示ムラを補正する補正工程と、
を有するタッチパネル装置の制御方法である。
【発明の効果】
【０００９】
本発明のタッチパネル装置及びその制御方法によれば、表示パネルの温度分布に起因するムラを補正することが可能になる。
【図面の簡単な説明】
【００１０】
【図１】実施例１のタッチパネルの構成をあらわすブロック図
【図２】抵抗値温度特性の例
【図３】タッチパネルを透過して表示しているユーザーインターフェイス画面
【図４】タッチパネルが検出する温度分布を示す図
【図５】タッチパネルと接続される画像表示装置の構成を示す図
【図６】実施例２のタッチパネルの構成をあらわすブロック図
【図７】実施例２のタッチパネルと接続される画像表示装置の構成を示す図
【図８】実施例２の制御動作を示すタイミング図
【発明を実施するための形態】
【００１１】
（実施例１）
図１は本発明の実施例１のタッチパネル８の構成を模式的に表す図であり、図２は温度と抵抗値との関係を示す抵抗値温度特性の例である。
【００１２】
図１において、上面シート１と底面シート２は、図示しないスペーサにより微小な間隔で平行に重ね合わされて配置されている。上面シート１と底面シート２と後述する液晶パネルはこの順に重ね合わされ、上面シート１の側からタッチ操作が可能な抵抗膜方式のタッチパネル装置を構成する。ここでは液晶パネルの横方向（Ｘ方向）を第１軸方向とし、縦方向（Ｙ方向）を第２軸方向とする。従って、液晶パネルの第１軸方向と第２軸方向とは直角に交差する。底面シート２は、液晶パネルの横方向に連続的に延びる互いに平行な複数の透明導電膜が液晶パネルの縦方向に配列されることにより複数の抵抗列が形成された第１のシートである。底面シート２の各透明導電膜はライン状又は細長い矩形状であり、その長手方向は液晶パネルの画面の横方向又は縦方向のいずれかに対し平行である。上面シート１は、底面シート２の複数の透明導電膜に対向する透明導電膜７が形成された第２のシートである。本実施例では、底面シート２に形成される抵抗列を第１〜第６の抵抗列（２１〜２６）とする。
【００１３】
底面シート２の複数の抵抗列（２１〜２６）の各々は、例えば図２に示すような抵抗値と温度との関係である抵抗値温度特性を有し、一方の端部がそれぞれ共通電極２７を介して、定電圧源３のマイナス側端子に接続されている。抵抗列（２１〜２６）の共通電極２７に接続されていない方の端部は、それぞれ独立した第１〜第６の端子（３１〜３６）を介して、第１〜第６の電流検出部（４１〜４６）に接続されている。
【００１４】
各電流検出部（４１〜４６）の内部抵抗値は、各抵抗列（２１〜２６）の抵抗値と比較して無視できる程度に小さいとする。これにより、各電流検出部（４１〜４６）の端子間の電圧差はほぼゼロとなり、各抵抗列（２１〜２６）には定電圧源３の出力電圧が印加される。
【００１５】
以上より、各抵抗列（２１〜２６）の電位は、共通電極２７に近い部分はゼロ、第１〜第６の端子（３１〜３６）に近い部分は定電圧源３の出力電圧にほぼ等しい値となる。各抵抗列（２１〜２６）の共通電極２７と各端子（３１〜３６）との間の電位は共通電極２７からのＸ方向距離６に応じて一様に分布した状態となる。
【００１６】
第１〜第６の電流検出部（４１〜４６）は、それぞれ第１〜第６の抵抗列（２１〜２６）に流れる電流値を検出する。温度検出部５は、各電流検出部（４１〜４６）が検出した電流値と、定電圧源３による印加電圧値から、各抵抗列（２１〜２６）の抵抗値を算出することにより各抵抗列の抵抗値の測定を行う。温度検出部５は、各抵抗列の抵抗値温度特性を記憶しており、前記算出した抵抗値と抵抗値温度特性とから各抵抗列（２１〜２６）の温度を算出することにより各抵抗列の温度を推定し、算出した各抵抗列の温度を図５の制御部１３（後述）へ出力する。
【００１７】
ここで、上面シート１が指先などで底面シート２側に押圧された場合、上面シート１の透明導電膜７と底面シート２の抵抗列（２１〜２６）が接触し、透明導電膜７は接触した抵抗列の部位の電位と同電位となる。座標検出部４は、透明導電膜７の電位から、押圧された箇所のＸ方向距離６を算出して出力する。
【００１８】
次に、図３を使用して、タッチパネル８と表示パネルとの関係について詳細に説明する。
図３はタッチパネル８の背面に配置された表示パネルである液晶パネル９に表示され、タッチパネル８を透過して観察可能なグラフィカルユーザーインターフェイス（以下、ＧＵＩという）の例である。このＧＵＩは、「明るさ調整」「色温度調整」「戻る」の３つのＧＵＩ部品から構成され、いずれかのＧＵＩ部品をユーザに選択させることを目的に設計されたものである。
【００１９】
図３において、タッチパネル８は、液晶パネル９からの光を透過するため、液晶パネル９における表示内容をタッチパネル８の側から観察可能である。定電圧源３の出力電圧は３．３Ｖとする。各抵抗列（２１〜２６）の電位は、共通電極２７の側であるタッチパネル８の右端部で０Ｖ、第１〜第６の端子（３１〜３６）の側である左端部で３．３Ｖとなっている。
【００２０】
ここでユーザがタッチパネル８を押下していない時は、透明導電膜７は各抵抗列（２１〜２６）と接触せず、透明導電膜７の電位は０Ｖである。液晶パネル９における第１の表示領域１０に対応するタッチパネル８上の領域をユーザが押下すると、透明導電膜７の電位はユーザが押下した箇所のＸ方向位置によって０．３〜０．８Ｖの値をとる。同様に、ユーザが、液晶パネル９における第２の表示領域１１に対応するタッチパネル８上の領域を押下した場合は、透明導電膜７の電位は１〜１．９Ｖの値をとる。また、ユーザが、液晶パネル９における第３の表示領域１２に対応するタッチパネル８上の領域を押下した場合は、透明導電膜７の電位は２．１〜３Ｖの値をとる。
【００２１】
座標検出部４は、透明導電膜７の電位を検出することにより、ユーザがタッチパネル８を押下していないこと、或いは、ユーザがタッチパネル８を押下した箇所のＸ方向距離６を算出して制御部１３へ出力する。これにより、ユーザが液晶パネル９に表示されたＧＵ
Ｉ部品のうちいずれにタッチしたかを検出することができる。すなわち、透明導電膜７の電位が０．３〜０．８Ｖの値の場合は「戻る」がタッチされたこと、１〜１．９Ｖの値の場合は「色温度調整」がタッチされたこと、２．１〜３Ｖの値の場合は「明るさ調整」がタッチされたことが、それぞれ検出される。
【００２２】
次に、図４及び図５を使用して、本実施例のタッチパネル装置における表示パネルの温度検出及び画像処理について詳細に説明する。
図４は液晶パネル９の画面上の表示領域と温度分布との関係の一例を示す図である。図５は、本実施例のタッチパネル８を有するタッチパネル装置の構成を示す図である。図４において、液晶パネル９の第１〜第６の表示領域（５１〜５６）の位置は、それぞれタッチパネル８の底面シート２の第１〜第６の抵抗列（２１〜２６）の位置に対応している。各表示領域（５１〜５６）に記入された温度は、各電流検出部（４１〜４６）による各抵抗列（２１〜２６）に流れる電流値の検出値に基づき温度検出部５が検出した各抵抗列の温度を示している。
【００２３】
本実施例のタッチパネル装置では、各抵抗列（２１〜２６）の温度の推定値をもって、各抵抗列に対応する液晶パネル９の表示領域（５１〜５６）の温度の推定値とする。このように、本実施例のタッチパネル装置では、タッチパネル８に備わる抵抗列毎の温度に基づいて、液晶パネル９の表示領域毎の温度を推定する。図４の例では、液晶パネル９の上部ほど温度が高くなっている。
【００２４】
図５において、制御部１３には、タッチパネル８から、温度検出部５が検出した各抵抗列（２１〜２６）の温度と、座標検出部４が検出したＸ方向距離６が入力される。
制御部１３は、タッチパネル８から入力されたＸ方向距離６に応じて、液晶パネル９に表示されたＧＵＩにおいてユーザが選択したＧＵＩ部品を判定する。また、制御部１３は、タッチパネル８から入力された各抵抗列（２１〜２６）の温度に応じて画像処理部１４を制御する。
【００２５】
ここで一般に、液晶パネル９の複数の画素の各々を構成する液晶素子は、温度が高くなるほどその透過率が高く変化するため、表示輝度が明るく変化する。制御部１３は、各抵抗列（２１〜２６）の温度に応じて、温度が高い抵抗列に対応する液晶パネル９の画面領域の表示輝度を下げるよう、画像処理部１４を制御する。画像処理部１４は、入力する画像データに対し、液晶パネル９の各画面領域（５１〜５６）に表示される画像データ毎に、各画面領域（５１〜５６）に対応する抵抗列（３１〜３６）の温度に応じた画像処理を行うことで、液晶パネル９の表示輝度のムラを抑制する。
【００２６】
以上に説明したタッチパネル８と液晶パネル９からなる画像表示装置によれば、液晶パネル９の温度分布が検出可能になるとともに、その温度分布による表示ムラを打ち消すように液晶パネル９に入力される画像データに対し画像処理を行うことができる。これにより、液晶パネル９に温度分布が生じた場合でも、ムラが生じることを抑制できる。
【００２７】
なお、上記の実施例ではタッチパネル８の透明導電膜毎の温度の推定値に基づき推定した液晶パネル９の表示領域毎の温度の推定値に応じて、液晶パネル９へ出力される画像データに対し画像処理部１４が補正を行う例を説明した。しかし、制御部１３は、液晶パネル９の表示領域毎の温度の推定値に応じて、バックライト１００の発光を制御するようにしても良い。その場合、バックライト１００は、液晶パネル９に対しタッチパネル８とは反対側に設けられ、液晶パネル９の各表示領域に対応する光源ブロック毎に輝度を調節可能なバックライトであるとする。そして、制御部１３は、液晶パネル９における温度の高い表示領域に対応する光源ブロックの輝度を低下させるように光源ブロック毎に輝度の補正を行うことにより、タッチパネル装置の表示ムラを低減できる。また、制御部１３は、
液晶パネル９の表示領域毎の温度の推定値に基づき、表示領域毎の画像データの補正と光源ブロック毎のバックライト輝度の補正との両方を行っても良い。
【００２８】
また、上記の実施例では、表示パネルが液晶パネルである場合を例に説明したが、本発明は、表示パネルは有機ＥＬ等の発光型の表示パネルであって、温度により発光特性が変動する性質を有する表示パネルを有するタッチパネル装置にも適用できる。その場合、制御部１３が、表示パネルの表示領域毎の温度の推定値に基づいて、表示パネルへ出力される画像データを補正することにより、タッチパネル装置の表示ムラを低減できる。
【００２９】
（実施例２）
図６は、本発明の実施例２のタッチパネル８００の構成をあらわすブロック図である。
実施例２では、上面シート１には、液晶パネルの縦方向に連続的に延びる互いに平行な複数の透明導電膜が液晶パネルの横方向に配列されることにより複数の抵抗列（第１〜第６の上面抵抗列（７１〜７６））が形成される。第１〜第６の上面抵抗列（７１〜７６）は、底面シート２における第１〜第６の抵抗列（２１〜２６）とは直交する方向に配列されている。第１〜第６の上面抵抗列（７１〜７６）の一方の端部は、それぞれ上面共通電極７７に接続されている。第１〜第６の上面抵抗列（７１〜７６）の、上面共通電極７７に接続されていない方の端部は、それぞれ独立した第１〜第６の上面端子（５１〜５６）を介して、第１〜第６の上面電流検出部（図示しない）に接続されている。図６では、図１における第１〜第６の電流検出部（４１〜４６）を電流検出部４０として略記している。
【００３０】
また、第１〜第６の上面電流検出部（図示しない）を上面電流検出部６０として略記している。電流検出部６０として略記した第１〜第６の上面電流検出部は、図１の第１〜第６の電流検出部（４１〜４６）と同様、各々の一方の端部は定電圧源３に接続され、各々の他方の端部は第１〜第６の上面端子（５１〜５６）の各々に接続されている。温度検出部５には、第１〜第６の電流検出部（図１の符号４１〜４６。図２では符号４０で略記）、及び第１〜第６の上面電流検出部（図２では符号６０で略記）が検出した電流値がそれぞれ独立して入力される。温度検出部５は、図２に示す抵抗値温度特性から、各抵抗列（２１〜２６）及び各上面抵抗列（７１〜７６）の温度を算出して、図７の制御部１３（後述）へ出力する。
【００３１】
各抵抗列（２１〜２６）には、制御部１３からの底面制御信号により導通状態と切断状態との切替を行う第１の底面スイッチ８１及び第２の底面スイッチ８２を介して定電圧源３の出力電圧が印加される。各上面抵抗列（７１〜７６）には、制御部１３からの上面制御信号により導通状態と切断状態との切替を行う第１の上面スイッチ８３及び第２の上面スイッチ８４を介して定電圧源３の出力電圧が印加される。
【００３２】
底面制御信号により各底面スイッチ（８１，８２）が導通状態となる第１の状態では、複数の電流検出部４０により、各抵抗列（２１〜２６）に流れる電流が検出される。このとき上面シート１が押圧された場合には、座標検出部４は、入力された上面共通電極７７の電位から、押圧されたＸ方向距離６を算出して制御部１３へ出力する。
【００３３】
上面制御信号により各上面スイッチ（８３，８４）が導通状態となる第２の状態では、複数の上面電流検出部６０により、各上面抵抗列（７１〜７６）に流れる電流が検出される。このとき上面シート１が押圧された場合には、座標検出部４は、入力された共通電極２７の電位から、押圧されたＹ方向距離１５を算出して制御部１３へ出力する。
【００３４】
温度検出部５は、複数の電流検出部４０及び複数の上面電流検出部６０が検出した電流値から、各抵抗列（２１〜２６）及び各上面抵抗列（７１〜７６）の温度を算出して制御
部１３へ出力する。ここで図６に示す抵抗列と上面抵抗列の配列から、各抵抗列（２１〜２６）の温度はＹ方向距離１５に対応する温度分布を示し、各上面抵抗列（７１〜７６）の温度はＸ方向距離６に対応する温度分布を示すことがわかる。
【００３５】
次に、図７及び図８を使用して、実施例２に係る画像表示装置の動作について詳細に説明する。
図７は、実施例２におけるタッチパネル８００を備えた画像表示装置の構成を示す図である。
図８は、実施例２における画像表示装置の制御動作を示すタイミング図である。
【００３６】
図７において、画像表示装置の制御部１３は、タッチパネル８００に対して底面制御信号１６と上面制御信号１７を出力する。制御部１３には、タッチパネル８００における温度検出部５が検出した各抵抗列（２１〜２６）及び各上面抵抗列（７１〜７６）の温度を含む温度分布データ１８が入力される。また、制御部１３には、座標検出部４が検出した上面シート１の押圧された箇所のＸ方向距離６及びＹ方向距離１５を含む座標データ１９が入力される。
【００３７】
図８において、制御部１３は、底面制御信号と上面制御信号により、各底面スイッチ（８１，８２）と各上面スイッチ（８３，８４）を所定時間おきに交互にオン制御することにより各スイッチを導通状態とする。
【００３８】
各底面スイッチ（８１，８２）がオンとなる期間は、温度検出部５は温度分布データ１８としてＹ方向の温度分布を出力し、座標検出部４は座標データ１９として押下された箇所のＸ方向距離６を出力する。このとき、各抵抗列（２１〜２６）は抵抗値温度特性を有していることから、座標検出部４が出力したＸ方向距離６はＸ方向の温度分布による影響を受けた値となっている。具体的には、図２に示すような抵抗値温度特性で、かつ共通電極２７に近い位置ほど温度が高い場合、共通電極２７に近い位置ほど抵抗値が低くなるため、電圧を印加した場合のＸ方向距離６に対する電圧は、Ｘ方向距離６と比例関係ではなくなる。
【００３９】
同様に、各上面スイッチ（８３，８４）がオンとなる期間は、温度検出部５は温度分布データ１８としてＸ方向温度分布を出力し、座標検出部４は座標データ１９として押下された箇所のＹ方向距離１５を出力する。このとき、各上面抵抗列（７１〜７６）は抵抗値温度特性を有していることから、座標検出部４が出力したＹ方向距離１５はＹ方向の温度分布による影響を受けた値となっている。
【００４０】
制御部１３は、各底面スイッチ（８１，８２）がオンとなる期間に受信した、Ｘ方向温度分布による影響を受けたＸ方向距離データに対して、各上面スイッチ（８３，８４）がオンとなる期間に受信したＸ方向温度分布のデータに応じた補正処理をする。そして、制御部１３は、Ｘ方向温度分布による影響を補正したＸ方向距離データを取得する。制御部１３は、Ｙ方向距離データに対しても同様の補正処理をする。
【００４１】
以上に説明したタッチパネル装置と画像表示装置により、押圧された箇所のＸ方向とＹ方向の座標が検出されるとともに、液晶パネルの表示領域内のＸ方向とＹ方向の温度分布が検出される。そして、その温度分布による表示ムラを打ち消すように画像処理部１４により画像データに対する補正が行われる。従って、液晶パネルに温度分布が生じた場合でも、温度分布に起因する表示ムラを抑制することができる。
【００４２】
なお、上記実施例において、底面シート２における透明導電膜の長手方向が表示パネルの画面の横方向に平行であり、上面シート１における透明導電膜の長手方向が表示パネル
の画面の縦方向に平行の場合を例に説明したが、逆であっても良い。すなわち、底面シート２における透明導電膜の長手方向が表示パネルの画面の縦方向に平行で、上面シート１における透明導電膜の長手方向が表示パネルの画面の横方向に平行であっても良い。
【符号の説明】
【００４３】
１：上面シート、２：底面シート、５：温度検出部、７：透明導電膜、８：タッチパネル、９：液晶パネル、１３：制御部、１４：画像処理部、２１：第１の抵抗列、２２：第２の抵抗列、２３：第３の抵抗列、２４：第４の抵抗列、２５：第５の抵抗列、２６：第６の抵抗列、４１：第１の電流検出部、４２：第２の電流検出部、４３：第３の電流検出部、４４：第４の電流検出部、４５：第５の電流検出部、４６：第６の電流検出部
【図１】
2013054520.tif 000003
【図２】
2013054520.tif 000004
【図３】
2013054520.tif 000005
【図４】
2013054520.tif 000006
【図５】
2013054520.tif 000007
【図６】
2013054520.tif 000008
【図７】
2013054520.tif 000009
【図８】
2013054520.tif 000010